(57)【要約】【課題】  遮煙・遮炎スクリーン組込型乗場三方枠の輸送中に遮煙・遮炎スクリーン装置がずれて、幕板の意匠面が変形する恐れのないエレベータ用乗場三方枠の輸送装置を得る。【解決手段】  遮煙・遮炎スクリーン装置３が組み込まれた乗場三方枠の輸送時に使用されて、遮煙・遮炎スクリーン装置を収納する下枠４ｂ、上枠４ａ及び縦柱４ｃ等から構成された輸送用の枠組と、遮煙・遮炎スクリーン装置が位置する側の縦柱４ｃに垂直部５ａが固定され、水平部５ｂが遮煙・遮炎スクリーン装置３を支持固定するＬ字状の固定金具５とを備える。【選択図】    図１
2006264817.tif 000002
【特許請求の範囲】
【請求項１】
遮煙・遮炎スクリーン装置が組み込まれた乗場三方枠の輸送時に使用されて、前記遮煙・遮炎スクリーン装置を収納する下枠、上枠及び縦柱等から構成された輸送用の枠組と、
前記遮煙・遮炎スクリーン装置が位置する側の前記縦柱に垂直部が固定され、水平部が前記遮煙・遮炎スクリーン装置を支持固定するＬ字状の固定金具と、
を備えたことを特徴とするエレベータ乗場三方枠の輸送装置。
【請求項２】
遮煙・遮炎スクリーン装置が組み込まれた乗場三方枠の輸送時に使用されて、前記遮煙・遮炎スクリーン装置を収納する下枠、上枠及び縦柱等から構成された輸送用の枠組と、
前記遮煙・遮炎スクリーン装置が位置する側の前記縦柱に垂直部が固定され、水平部が前記遮煙・遮炎スクリーン装置を支持固定するＬ字状の固定金具と、
前記Ｌ字状固定金具の垂直部及び前記縦柱を共に締め付けることにより前記固定金具を前記縦柱に固定するとともに、前記締め付けを緩めた時に前記固定金具を回動可能にする締結用バンドと、
を備えたことを特徴とするエレベータ乗場三方枠の輸送装置。
【請求項３】
縦柱は角パイプからなり、固定金具の垂直部は丸パイプからなることを特徴とする請求項２記載のエレベータ乗場三方枠の輸送装置。
【請求項４】
遮煙・遮炎スクリーン装置が組み込まれた乗場三方枠の輸送時に使用されて、前記遮煙・遮炎スクリーン装置を収納する下枠、上枠及び縦柱等から構成された輸送用の枠組と、
前記遮煙・遮炎スクリーン装置が位置する側の前記縦柱に固定され、前記遮煙・遮炎スクリーン装置を両側から挟んで支持固定する三角形状の固定金具と、
を備えたことを特徴とするエレベータ乗場三方枠の輸送装置。
【請求項５】
三角形状の固定金具は、遮煙・遮炎スクリーン装置の下面を載置支持する水平支持部及び前記遮煙・遮炎スクリーン装置の側面を締結固定するためのボルト貫通穴を備えることを特徴とする請求項４記載のエレベータ乗場三方枠の輸送装置。
【請求項６】
三角形状の固定金具は、中央部に軽量化のための窓穴を備えることを特徴とする請求項４又は請求項５記載のエレベータ乗場三方枠の輸送装置。
【発明の詳細な説明】
【技術分野】
【０００１】
この発明は、ビル火災発生時に用いられる遮煙・遮炎スクリーン装置が組み込まれたエレベータ用乗場三方枠の輸送装置に関するものである。
【背景技術】
【０００２】
従来、遮煙・遮炎スクリーンが組み込まれたエレベータ用乗場三方枠の輸送装置は、例えば、図１３〜図１６に示すような構造である。図１３は従来のエレベータの乗場装置における遮煙・遮炎スクリーン装置組込型乗場三方枠の輸送装置を示す正面図、図１４は図１３の矢視Ａ方向から見た乗場三方枠の輸送装置の側面図、図１５は図１３の上方向から見た乗場三方枠の輸送装置の平面図、図１６は図１３のＣ部を拡大して示す詳細図である。
図において、１は乗場三方枠の左右両側部を構成する縦枠、２は乗場三方枠の正面上方部を構成する幕板、３は幕板２の背面側に設置された箱状の遮煙・遮炎スクリーン装置、３ａは遮煙・遮炎スクリーン、３ｂはスクリーン錘、３ｃはスクリーン巻上げモータであり、これらは工場で一体的に組立てられ、一体の遮煙・遮炎スクリーン組込型乗場三方枠を構成している。
このように構成された遮煙・遮炎スクリーン組込型乗場三方枠の輸送装置として、例えば、同図に示すように、４本のパイプが長方形状に組立てられた下枠４ｂと、この下枠４ｂの４隅にそれぞれ立設固定された４本の縦柱４ｃと、この４本の縦柱４ｃの上端部を接続固定する４本のパイプが長方形状に組立てられた上枠４ａと、縦柱４ｃの中央部のやや下方寄りに固定され、支持枠４ｄを支持するための支持金具４ｆとによって構成された枠組に遮煙・遮炎スクリーン組込型乗場三方枠を収納する方法がある。乗場三方枠は、固定金具４ｅ及び支持枠４ｄを介して上記枠組に着脱自在に固定されることで、簡易に輸送、保管される構造となっている。なお、１０は運搬用補強である。
ところが、以上のような輸送装置では、遮煙・遮炎スクリーン装置３は乗場三方枠に固定されているだけで、枠組に直接的に支持される構造とはなっていない。また、遮煙・遮炎スクリーン装置３の質量は、スクリーン巻取りモータ３ｃなどがあり、３０ｋｇ以上となる。このため、乗場三方枠の上方に重心が偏り輸送時の振動、衝撃に対し不安定となる。また、輸送時に遮煙・遮炎スクリーン装置３の固定箇所がずれたり、遮煙・遮炎スクリーン装置３が固定された幕板２の意匠面に繰り返し荷重が加わり、意匠面が変形する恐れがある。
【０００３】
また、他の従来技術としては、遮炎・遮煙シャッターが火災発生時に乗場の開口部を閉鎖する機能を阻害することなく、エレベータ利用者の視界から遮炎・遮煙シャッターを隠すことができるエレベータ乗場装置が知られている（例えば、特許文献１参照）。
【０００４】
【特許文献１】特開２００４−５１２５７号公報
【発明の開示】
【発明が解決しようとする課題】
【０００５】
従来の遮煙・遮炎スクリーンが組み込まれたエレベータ用乗場三方枠の輸送装置では、遮煙・遮炎スクリーン装置は乗場三方枠に固定されているだけで、枠組に直接的に支持される構造とはなっていない。また、遮煙・遮炎スクリーン装置の質量は、スクリーン巻取りモータなどがあり、３０ｋｇ以上となる。このため、乗場三方枠の上方に重心が偏り輸送時の振動、衝撃に対し不安定であった。また、輸送時に遮煙・遮炎スクリーン装置の固定箇所がずれたり、遮煙・遮炎スクリーン装置が固定された幕板の意匠面に繰り返し荷重が加わり、意匠面が変形する恐れがあるという問題があった。
【０００６】
また、従来技術のエレベータ乗場装置では、塞ぎ板が利用者の視界から錘を隠し、第三者のイタズラを防止するものであり、遮煙・遮炎スクリーン組込型乗場三方枠の輸送時の問題を考慮したものではない。
【０００７】
この発明は上記のような課題を解決するためになされたもので、遮煙・遮炎スクリーン組込型乗場三方枠の輸送中に遮煙・遮炎スクリーン装置がずれて、幕板の意匠面が変形する恐れのないエレベータ用乗場三方枠の輸送装置を提供することを目的とする。
【課題を解決するための手段】
【０００８】
この発明に係るエレベータ用乗場三方枠の輸送装置は、遮煙・遮炎スクリーン装置が組み込まれた乗場三方枠の輸送時に使用されて、遮煙・遮炎スクリーン装置を収納する下枠、上枠及び縦柱等から構成された輸送用の枠組と、遮煙・遮炎スクリーン装置が位置する側の縦柱に垂直部が固定され、水平部が遮煙・遮炎スクリーン装置を支持固定するＬ字状の固定金具とを備えたものである。
【０００９】
また、遮煙・遮炎スクリーン装置が組み込まれた乗場三方枠の輸送時に使用されて、遮煙・遮炎スクリーン装置を収納する下枠、上枠及び縦柱等から構成された輸送用の枠組と、遮煙・遮炎スクリーン装置が位置する側の縦柱に固定され、遮煙・遮炎スクリーン装置を両側から挟んで支持固定する三角形状の固定金具とを備えたものである。
【発明の効果】
【００１０】
この発明によれば、遮煙・遮炎スクリーン組込型乗場三方枠の輸送中に遮煙・遮炎スクリーン装置がずれて、幕板の意匠面が変形する恐れがない。また、固定金具は不用時には折り畳んで収納することにより、枠組の保管性や、流用性を向上させることができる。
【発明を実施するための最良の形態】
【００１１】
実施の形態１.
図１はこの発明の実施の形態１におけるエレベータ用乗場三方枠の輸送装置を示す正面図、図２は図１の矢視Ａ方向から見た乗場三方枠の輸送装置の側面図、図３は図１の上方向から見た乗場三方枠の輸送装置の平面図、図４は図１のＣ部を拡大して示す詳細図、図５は図４のＸ−Ｘ線に沿った断面図、図６は固定金具を折り畳んだ収納状態を示す要部平面図である。
【００１２】
図において、１は乗場三方枠の左右両側部を構成する縦枠、２は乗場三方枠の正面上方部を構成する幕板、３は幕板２の背面側に設置された箱状の遮煙・遮炎スクリーン装置、３ａは遮煙・遮炎スクリーン、３ｂはスクリーン錘、３ｃはスクリーン巻上げモータであり、これらは工場で一体的に組立てられ、一体の遮煙・遮炎スクリーン組込型乗場三方枠を構成している。
このように構成された遮煙・遮炎スクリーン組込型乗場三方枠の輸送装置の枠組構造は、同図に示すように、４本のパイプが長方形状に組立てられた下枠４ｂと、この下枠４ｂの４隅にそれぞれ立設固定された４本の角パイプからなる縦柱４ｃと、この４本の縦柱４ｃの上端部を接続固定する４本のパイプが長方形状に組立てられた上枠４ａと、乗場三方枠の下端部（図１及び図３の右側）が位置する２本の縦柱４ｃの中央部のやや下方寄りに固定され、支持枠４ｄを支持するための支持金具４ｆと、乗場三方枠上部の遮煙・遮炎スクリーン装置３（図１及び図３の左側）が位置する２本の縦柱４ｃの中央部のやや下方寄りの上下２個所に締結用バンド７により垂直部５ａを締め付け固定された丸パイプからなるＬ字状の固定金具５とによって構成されている。このＬ字状の固定金具５の水平部５ｂの上に遮煙・遮炎スクリーン装置３を直接載置してボルト６等により締結固定するものである。なお、１０は運搬用補強である。
したがって、上記のような構成により、遮煙・遮炎スクリーン装置３が固定金具５を介して上記枠組に直接支持固定されるため、遮煙・遮炎スクリーン組込型乗場三方枠の輸送時に遮煙・遮炎スクリーン装置３の固定箇所がずれたり、遮煙・遮炎スクリーン装置３が固定された幕板２の意匠面に繰り返し荷重が加わり、意匠面が変形する恐れを減らすことができる。また、固定金具５は締結用バンド７を緩めることにより、図６に示すように、回転動作と上下移動が可能となるので、不用の場合は折り畳んで収納することができるため、上記枠組の保管性、流用性を維持することができる。
【００１３】
したがって、この実施の形態１によれば、遮煙・遮炎スクリーン組込型乗場三方枠の輸送中に遮煙・遮炎スクリーン装置がずれて、幕板の意匠面が変形する恐れがない。また、固定金具は不用時には折り畳んで収納することができるため、枠組の保管性や、流用性が良い。
【００１４】
実施の形態２．
図７はこの発明の実施の形態２におけるエレベータ用乗場三方枠の輸送装置を示す正面図、図８は図７の矢視Ａ方向から見た乗場三方枠の輸送装置の側面図、図９は図７の上方向から見た乗場三方枠の輸送装置の平面図、図１０は図７のＣ部を拡大して示す詳細図、図１１は図１０の側面図、図１２は固定金具を示す拡大斜視図である。
【００１５】
この実施の形態２では、上記実施の形態１と同一又は相当部分に同一符号を付して説明を省略する。８は乗場三方枠上部の遮煙・遮炎スクリーン装置３（図７及び図９の左側）が位置する２本の縦柱４ｃの中央部のやや上方寄りに固定された遮煙・遮炎スクリーン装置３の両側を挟んで保持する板金製の固定金具であり、全体が略三角形状を呈しており、周縁部には補強フランジ８ａが形成されている。この三角形状の固定金具８の垂直面には水平支持部８ｂが切り起こされ、この水平支持部８ｂ上に遮煙・遮炎スクリーン装置３の下面が直接載置支持される。また、固定金具８の水平支持部８ｂ上方の垂直面にはボルト貫通穴８ｃが形成され、このボルト貫通穴８ｃに挿入されるボルト９等により遮煙・遮炎スクリーン装置３の側面を固定金具８に締付固定するものである。また、固定金具８の垂直面の中央部には軽量化のための窓穴８ｄを形成している。
したがって、上記のような構成により、遮煙・遮炎スクリーン装置３が板金製の固定金具８を介して上記枠組に直接支持固定されるため、遮煙・遮炎スクリーン組込型乗場三方枠の輸送時に遮煙・遮炎スクリーン装置３の固定箇所がずれたり、遮煙・遮炎スクリーン装置３が固定された幕板２の意匠面に繰り返し荷重が加わり、意匠面が変形する恐れを減らすことができる。また、輸送用枠組の縦柱４ｃに取付穴を設けるだけで固定金具８を取り付けられるため、製品の流用性が高まる。また、固定金具８は、遮煙・遮炎スクリーン装置３に三角形状を介して締結されているため、実施の形態１に比べ上下方向のモーメントに対する保持力を強化することができる。更に、固定金具８は、遮煙・遮炎スクリーン装置３を出入口方向でも保持するため、乗場三方枠を枠組に収納する際の位置決めの作業性が高まる。また、固定金具８は軽量化のための窓穴８ｄを備えているので、軽量化されることはもちろん、窓穴８ｄから製品を覗いて確認することができ、しかも手が入いるのでボルト締めの作業性が良くなる。また、固定金具８の数量がまとまれば、プレス曲げ加工による一体成形で製作することにより、コストを下げることができる。また、数が出ない場合は、汎用プレス機での曲げ加工後、周縁部の各フランジの継ぎ目を溶接して製作する方法でも良い。
【００１６】
したがって、実施の形態２によれば、実施の形態１と同等の効果が得られるともに、輸送用枠組の縦柱に取付穴を設けるだけで済むので、製品の流用性が高まる。また、固定金具は、実施の形態１に比べ上下方向のモーメントに対する保持力を強化することができる。更に、遮煙・遮炎スクリーン装置を出入口方向でも保持するため、乗場三方枠を枠組に収納する際の位置決めの作業性が高まる。また、固定金具が軽量化されることはもちろん、窓穴から製品を確認することができ、しかも手が入るのでボルト締めの作業性が良くなる。
【図面の簡単な説明】
【００１７】
【図１】この発明の実施の形態１におけるエレベータ用乗場三方枠の輸送装置を示す正面図である。
【図２】図１の矢視Ａ方向から見た乗場三方枠の輸送装置の側面図である。
【図３】図１の上方向から見た乗場三方枠の輸送装置の平面図である。
【図４】図１のＣ部を拡大して示す詳細図である。
【図５】図４のＸ−Ｘ線に沿った断面図である。
【図６】固定金具を折り畳んだ収納状態を示す要部平面図である。
【図７】この発明の実施の形態２におけるエレベータ用乗場三方枠の輸送装置を示す正面図である。
【図８】図７の矢視Ａ方向から見た乗場三方枠の輸送装置の側面図である。
【図９】図７の上方向から見た乗場三方枠の輸送装置の平面図である。
【図１０】図７のＣ部を拡大して示す詳細図である。
【図１１】図１０の側面図である。
【図１２】固定金具を示す拡大斜視図である。
【図１３】従来のエレベータの乗場装置における遮煙・遮炎スクリーン装置組込型乗場三方枠の輸送装置を示す正面図である。
【図１４】図１３の矢視Ａ方向から見た乗場三方枠の輸送装置の側面図従来のエレベータの乗場装置を示す図１のＡ−Ａ線に沿った断面図である。
【図１５】図１３の上方向から見た乗場三方枠の輸送装置の平面図である。
【図１６】図１３のＣ部を拡大して示す詳細図である。
【符号の説明】
【００１８】
１  縦枠
２  幕板
３  遮煙・遮炎スクリーン装置
３ａ  遮煙・遮炎スクリーン
３ｂ  スクリーン錘
３ｃ  スクリーン巻上げモータ
４ａ  上枠
４ｂ  下枠
４ｃ  縦柱
４ｄ  支持枠
４ｅ  固定金具
４ｆ  支持金具
５  Ｌ字状の固定金具
５ａ  垂直部
５ｂ  水平部
６  ボルト
７  締結用バンド
８  三角状の固定金具
８ａ  補強フランジ
８ｂ  水平支持部
８ｃ  ボルト貫通穴
８ｄ  窓穴
９  ボルト
１０  運搬用補強
【図１】
2006264817.tif 000003
【図２】
2006264817.tif 000004
【図３】
2006264817.tif 000005
【図４】
2006264817.tif 000006
【図５】
2006264817.tif 000007
【図６】
2006264817.tif 000008
【図７】
2006264817.tif 000009
【図８】
2006264817.tif 000010
【図９】
2006264817.tif 000011
【図１０】
2006264817.tif 000012
【図１１】
2006264817.tif 000013
【図１２】
2006264817.tif 000014
【図１３】
2006264817.tif 000015
【図１４】
2006264817.tif 000016
【図１５】
2006264817.tif 000017
【図１６】
2006264817.tif 000018